(57)【要約】【課題】  使用時において確実にすべりを防止し、転倒による怪我、骨折を防止しうる風呂椅子カバーを提供すること。【解決手段】  風呂椅子の座面に適合する形状に布綿を裁断してカバー体となし、かつ、該カバー体の対向する位置に少なくとも一対の翼片を形成せしめ、前記カバー体を風呂椅子に直接に固定する固定具を前記翼片に具備せしめたものである。【選択図】  図１
0003116420.tif 000002
【実用新案登録請求の範囲】
【請求項１】
風呂椅子の座面に適合する形状に布綿を裁断してカバー体となし、かつ、該カバー体の対向する位置に少なくとも一対の翼片を形成せしめ、前記カバー体を風呂椅子に直接に固定する固定具を前記翼片に具備せしめたことを特徴とする風呂椅子カバー。
【請求項２】
請求項１記載の風呂椅子カバーにおいて、布綿がタオル地であることを特徴とする風呂椅子カバー。
【請求項３】
請求項１、２記載の風呂椅子カバーにおいて、カバー体の風呂椅子の座面と接する側に、ゴム、合成樹脂によるアンチスリップ加工を施したことを特徴とする風呂椅子カバー。
【請求項４】
請求項１〜３記載の風呂椅子カバーにおいて、固定具が吸盤であることを特徴とする風呂椅子カバー。
【考案の詳細な説明】
【技術分野】
【０００１】  本考案は、風呂椅子カバーに関し、詳しくは、風呂椅子の座面に装着自在とされ、かつ、使用時においてすべりを防止しうる風呂椅子カバーに関するものである。
【背景技術】
【０００２】  家庭においての入浴は、身体の疲れを癒したり、精神的なリラックスを図ったり、また、心身のリフレッシュであったりと重要な行動の一種である。この入浴時において、身体を洗う場合、洗い場に直接座ることに抵抗感を生ずるために風呂椅子を使用するが、現今においてはこの風呂椅子としてプラスチック樹脂の成形品として多種多様の形状、色彩のものが提供されている。【０００３】  ところで、かかる風呂椅子を用いる場合、風呂椅子の座面が濡れていたり、石鹸、シャンプー等の洗剤が表面に付着することによって非常に滑り易くなり、例えば、浴槽から湯を汲出すときの不安定な中腰姿勢に起因して着座時に風呂椅子が滑動し、風呂椅子から転落して臀部や頭部を強打して怪我をしたり、あるいは、転倒して骨折する等の危険性を有し、特に、運動能力の減退している高齢者にとっては、本来、楽しかるべき入浴が、一転して危険性を孕んだ苦痛を伴うものとなる。【０００４】  従来、風呂椅子のカバーとして、椅子の座面の保温を目的として、発泡ポリエステル等の樹脂で成形され、座面に嵌着する構成を有するも浴室用の腰掛が提案され（実開昭６２−１２０８８８号公報）、また、共同浴場における如く不特定多数の人間が利用する風呂用椅子の衛生面を考慮して、ナイロン等の防水シート素材とする風呂椅子カバー（実開昭６３−１９４６８４号公報における実施例参照。）が提案されているが、何れにあっても、使用時においてすべりを防止しうる風呂椅子カバーとしては不十分なものであった。
【特許文献１】  実開昭６２−１２０８８８号公報
【特許文献２】  実開昭６３−１９４６８４号公報
【考案の開示】
【考案が解決しようとする課題】
【０００５】  本考案は前述の諸点に鑑みなされたもので、使用時において確実にすべりを防止し、転倒による怪我、骨折を防止しうる風呂椅子カバーを提供することである。
【課題を解決するための手段】
【０００６】  前述の課題を解決するための本考案にかかる風呂椅子カバーの構成は、風呂椅子の座面に適合する形状に布綿を裁断してカバー体となし、かつ、該カバー体の対向する位置に少なくとも一対の翼片を形成せしめ、前記カバー体を風呂椅子に直接に固定する固定具を前記翼片に具備せしめた点に存するものである。【０００７】  また、本考案にかかる風呂椅子カバーの構成は、布綿をタオル地とした点に存するものである。【０００８】  さらに、本考案にかかる風呂椅子カバーの構成は、カバー体の風呂椅子の座面と接する側に、ゴム、合成樹脂によるアンチスリップ加工を施した点に存するものである。【０００９】  加えて、本考案にかかる風呂椅子カバーの構成は、固定具が吸盤で構成した点に存するものである。
【考案の効果】
【００１０】  本考案にかかる風呂椅子カバーにあっては、合成樹脂製の風呂椅子の座面を布綿で構成し、かつ、カバーに風呂椅子に直接に固定する固定具を設ける構成を採用することによって、風呂椅子の大きさに拘らず取り付けることができるものであり、また、カバーをタオル地で構成することによって、タオル地が吸水することで緊密になり、座面との密着度が向上し、滑り止め効果を向上し、転倒による怪我、骨折を防止できることから、特に、身体的に衰微しつつある高齢者が安心して入浴ができることとなる。
【実施例】
【００１１】  以下、図示の実施例に基づいて本考案にかかる風呂椅子カバーについて説明する。
図において、１は風呂椅子カバーを示し、風呂椅子の座面に適合する形状に布綿、例えば、タオル地を裁断してカバー体２とする。即ち、カバー体２の形状（寸法）は、座面の形状よりその周縁部が張り出す大きさに形成するのが望ましく、これによって、カバー体２を風呂椅子に装着する場合に、風呂椅子における座面とカバー体２のズレを吸収して、装着を容易ならしめることを可能にし、また、装着する風呂椅子の適応寸法に融通性を持たせることが可能となる。【００１２】  前記カバー体２の適宜の周縁部に、少なくとも一対の翼片３を対向する位置に一体的に、あるいは、別体を縫着することにより形成せしめ、翼片３にカバー体２を風呂椅子の側面に直接に固定するための固定具４を固定している。この固定具４は、カバー体２を直接に風呂椅子の側面へ取り付けうることから吸盤を採用している。この実施例にあっては、一対の吸盤を設けた構成であるが、カバー体２の周囲に複数個の吸盤、言い換えれば、固定具４を等間隔に設けることも可能である。【００１３】  さらに、固定具４としては平面接着ファスナー（商標マジックテープ）を採用することも可能であり、かかる場合においては、前記翼片３に平面接着ファスナーの雄ファスナーあるいは雌ファスナーを縫い付けて固定し、一方、風呂椅子の側面におけるカバー体２の翼片３の固定位置に予め平面接着ファスナーの雌ファスナーあるいは雄ファスナーを接着剤により貼付しておけばよい。【００１４】  また、前記カバー体２の中央部には、風呂椅子の座面に設けると同様の水抜きの透孔５が形成されている。加えて、カバー体２における風呂椅子の座面との接触面に、ゴム、樹脂等からなる粘性を有する素材を全面に、あるいは、点状に固着させ、いわゆる、アンチスリップ加工を施すことによって、カバー体２のすべりを防止することも可能である。【００１５】  以上の構成を有する本考案の風呂椅子カバー１において、図２に示すように、風呂椅子１０の座面１１に、カバー体２をそれに設けた透孔５と、座面に形成してなる同様の透孔１２とが一致するように載せ、カバー体２に設けた翼片３を引っ張って、翼片３に固定した吸盤４を用いて風呂椅子１０の側面に固定する。この吸盤４の吸着作用によって固定するために、カバー体２を風呂椅子１０の側面に簡単に固定することができ、また、使用時にあっては、湯に濡れることによって、カバー体２の布綿が緊縮し、風呂椅子１０との摩擦力を増し、吸盤４吸着力と相俟って、使用者の動作によって与えられる捩れ等にも耐え滑り止め効果を得ることができる。また、カバー体２にアンチスリップ加工を施すことによってさらにその効果を発揮せしめることが可能となる。
【図面の簡単な説明】
【００１６】
【図１】本考案にかかる風呂椅子カバーの平面図。
【図２】本考案にかかる風呂椅子カバーを装着した状態を示す説明図。
【符号の説明】
【００１７】  １：風呂椅子カバー
２：カバー体
３：翼片
４：固定具（吸盤）
５：透孔
１０：風呂椅子
１１：座面
１２：透孔
【図１】
0003116420.tif 000003
【図２】
0003116420.tif 000004